(57)【要約】【課題】  撮像画像の倍率色収差による色ずれ量を測定する際に、レンズパラメータ毎に照明条件やチャートの分光特性をはじめとする測定条件を一定とせずとも、正確な測定を簡易に行い得る倍率色収差測定用のカラーフィルタおよびこれを用いた倍率色収差測定装置を提供する。【解決手段】  Ｂ、Ｇ、Ｒ各々の色光の、撮像素子における分光特性上のピーク値は、450 nm付近、540 nm付近、600 nm付近であり、そのピーク値を中心として、所定幅の狭帯域（例えば１０ｎｍ）の波長のみを透過させる透過特性を有する構成とされている。従来の撮像素子においてはＢ、Ｇ、Ｒの各色光についてある程度広い波長範囲に亘って受光し得るように構成されているが、この撮像素子に照射されるＢ、Ｇ、Ｒの各色光は、450 nm付近、540 nm付近、600 nm付近の各ピーク値を中心とした所定幅の狭帯域のみとされる。【選択図】図１
2020020609.tif 000002
【特許請求の範囲】
【請求項１】
レンズの倍率色収差を測定するために用いられるカラーフィルタであって、
撮像素子の分光特性においてＢ、Ｇ、Ｒの各波長領域のピーク値を中心とした所定幅の波長領域のみを透過させる分光特性を有することを特徴とするカラーフィルタ。
【請求項２】
前記所定幅の波長領域が４０nm以下の幅とされていることを特徴とする請求項１記載のカラーフィルタ。
【請求項３】
前記所定幅の波長領域が２０nm以下の幅とされていることを特徴とする請求項１記載のカラーフィルタ。
【請求項４】
前記所定幅の波長領域が１０nm以上かつ２０nm以下の幅とされていることを特徴とする請求項１記載のカラーフィルタ。
【請求項５】
撮像レンズと、該撮像レンズからの被写体光を照射され、被写体からの情報をＢ、Ｇ、Ｒの各色光毎に取得して、カラー画像に係るＢ、Ｇ、Ｒ信号を出力する撮像素子を備えるとともに、前記被写体よりも光源側、前記被写体と前記撮像レンズの間、および前記撮像レンズと前記撮像素子の間、のいずれかに、請求項１〜４のいずれか１項に記載のカラーフィルタを配設してなることを特徴とする倍率色収差測定装置。
【発明の詳細な説明】
【技術分野】
【０００１】
本発明は、倍率色収差測定用のカラーフィルタおよびこれを用いた倍率色収差測定装置に関し、詳しくは、撮像画像情報から、レンズによる倍率色収差を差し引く際に、その倍率色収差を簡易に測定するための倍率色収差測定用のカラーフィルタおよびこれを用いた倍率色収差測定装置に関するものである。
【背景技術】
【０００２】
一般に、撮像装置（カメラ）は、レンズを介して得た被写体の像をＲ（赤色）、Ｇ（緑色）、Ｂ（青色）の像にそれぞれ分解し、カラー画像を撮像する。このとき、各像に含まれる光は異なる波長域を持つため、レンズの倍率色収差に起因して異なる倍率で撮像素子に結合される。このため撮像装置から得られるカラー画像には色ずれ（または色にじみ）が生じる。この色ずれは、特に画像（映像）の画面周辺部で大きく画質を劣化させるため、補正することが望ましい。また近年撮像素子の多画素化や表示装置の大画面化に伴い、この色ずれによる画質劣化の影響は顕著になっており、より高い精度での補正が求められる。この色ずれを補正する手段として、あらかじめ各像の色ずれ量を測定しておき、画像処理によってこの色ずれを補正する技術が開示されている（下記特許文献１、２を参照）。
【０００３】
ところで、色ずれ量の測定は、白黒の市松模様の格子パターンや縞模様パターン等を画角全体で撮像して収差測定用チャートを作成し、これを用いてＢ、Ｇ、Ｒ像のずれ量を測定する手法が一般的である（下記特許文献３、４を参照）。例えば、図１２に示すように、照明１６からの照明光を収差測定用チャート１５に照射し、その収差測定用チャート１５からの被写体光を撮像装置１１の撮像レンズ１０および撮像素子部１１Ａにより撮像し、撮像された被写体像をＢ、Ｇ、Ｒの各色信号に分離し、色収差測定部１２に送出して撮像レンズ１０の倍率色収差を測定する。色収差測定部１２からは、測定により得られた色ずれ量が出力される。
この撮像素子部１１Ａは、３色分解プリズムとＢ、Ｇ、Ｒの各色光に応じた３板式の撮像素子により構成すること、あるいは３色のカラーフィルタアレイと単板式の撮像素子により構成することの、いずれとすることも可能である。
【０００４】
ところで、色ずれの大きさはレンズの焦点距離やフォーカス位置等のレンズパラメータに依存するため、レンズパラメータ毎に測定を行い、それぞれの補正値を予め求めておく必要がある。色ずれの大きさは、測定に使用する光源の分光分布や収差測定用チャートの分光反射率に依存する。そのため色ずれ量の測定の際には、同一の収差測定用チャートを用い、照明条件を一定とした上で行うこととされていた。
【先行技術文献】
【特許文献】
【０００５】
【特許文献１】特開２０００−３４３７号公報
【特許文献２】特開２０１１−１８２０７１号公報
【特許文献３】特開２００６−１３５８０５号公報
【特許文献４】特開平３−１６９１９０号公報
【発明の概要】
【発明が解決しようとする課題】
【０００６】
しかし、レンズパラメータを変化させて多数の測定を行う際に、同一の収差測定用チャートを用い、照明条件を一定とした上でこれら多数の測定を行うことは容易ではない。例えば、フォーカス位置を１ｍから３０ｍまでの範囲で変化させて測定を行うことを想定した場合、測定用チャートとカメラとの距離を実際に１ｍから３０ｍの範囲で動かしながら色ずれ量を測定していくことになるが、そのような長い距離に亘って照明条件を一定とすること自体が容易ではない。また、例えばカメラから３０ｍの位置に測定用チャートを設置して測定しようとした場合、画角全体をカバーできる範囲に測定用チャートを配置し、さらにその範囲における照明条件を一定にする必要があるが、それに要する空間や照明機材の調整の手間に鑑みると、正確な測定は、実際には困難である。すなわち、従来技術によっては、レンズパラメータ毎に照明条件や使用するチャートの分光特性を一定とすることが困難であるため、倍率色収差による色ずれ量の正確な測定は難しい、とされていた。
【０００７】
本発明は、上記事情に鑑みなされたもので、撮像画像における倍率色収差による色ずれ量を測定する際に、レンズパラメータ毎に照明条件やチャートの分光特性をはじめとする測定条件を一定とせずとも、正確な測定を簡易に行い得る倍率色収差測定用のカラーフィルタおよびこれを用いた倍率色収差測定装置を提供することを目的とする。
【課題を解決するための手段】
【０００８】
本発明の倍率色収差測定用のカラーフィルタは、
レンズの倍率色収差を測定するために用いられるカラーフィルタであって、
撮像素子の分光特性においてＢ、Ｇ、Ｒの各波長領域のピーク値を中心とした所定幅の波長領域のみを透過させる分光特性を有することを特徴とするものである。
【０００９】
この場合において、前記所定幅の波長領域が４０nm以下の幅とされていることが好ましい。
また、前記所定幅の波長領域が２０nm以下の幅とされていることがより好ましい。
前記所定幅の波長領域が１０nm以上かつ２０nm以下の幅とされていることも、好ましい。
【００１０】
本発明の倍率色収差測定装置は、
撮像レンズと、該撮像レンズからの被写体光を照射され、被写体からの情報をＢ、Ｇ、Ｒの各色光毎に取得して、カラー画像に係るＢ、Ｇ、Ｒ信号を出力する撮像素子を備えるとともに、前記被写体よりも光源側、前記被写体と前記撮像レンズの間、および前記撮像レンズと前記撮像素子の間、のいずれかに、上記いずれかに記載の倍率色収差測定用のカラーフィルタを配設してなることを特徴とするものである。
【発明の効果】
【００１１】
本発明の倍率色収差測定用のカラーフィルタおよびこれを用いた倍率色収差測定装置によれば、以下のような作用効果を奏する。
すなわち、カラーフィルタから出力されたＢ、Ｇ、Ｒの各色光は、各色光領域のピーク波長を中心とした狭帯域の範囲に制限されたものとなっており、各色光の像単体に生じる色ずれ（像ボケ）を低減することができるので、測定に使用する光源の分光特性や測定用チャートの分光反射特性が変化しても、それに伴う色ずれ量の変化は従来技術と比較して小さい。
【００１２】
したがって、測定に用いる照明や測定用チャートの選定に自由度をもたせることができ、異なるレンズパラメータで各々測定する際に、各測定毎に光源条件や測定用チャートを同一とする必要がない。また、測定用チャートとして必ずしも白黒パターン等を用いる必要がないため、部屋の壁面やビルの壁面等、規則性のある明暗のパターンを有するものであれば、自然物や建造物等であっても測定用チャートとして用いることができる。
【００１３】
このように、本発明のカラーフィルタおよびこれを用いた倍率色収差測定装置によれば、ボケが小さく境界部分が鮮明なＢ、Ｇ、Ｒ像が得られるため、ずれ量の測定精度を向上させることができる。また、照明や測定用チャートの調整にかかる手間を大幅に省くことができ、従来技術よりも簡易に、高精度の測定が可能となる。
【図面の簡単な説明】
【００１４】
【図１】本発明の実施形態に係るカラーフィルタの分光透過特性とカメラの撮像素子の分光透過特性の関係を示すグラフである。
【図２】実施形態１に係る倍率色収差測定装置を示す概略図である。
【図３】所定の撮像パターン（Ａ）について、従来技術を用いた場合（Ｂ）と本実施形態技術を用いた場合（Ｃ）の色ずれ量を比較した結果を示すものである。
【図４】シミュレーションに用いた照明Ａと照明Ｂの各分光分布を示すグラフである。
【図５】互いに異なる照明条件間で発生する、従来技術（Ａ）と本実施形態技術（Ｂ）の色ずれ状態を示すグラフである。
【図６】光学フィルタを組み合わせて本実施形態に係るカラーフィルタを形成する場合における、これら各光学フィルタの分光透過特性の例を示すグラフである。
【図７】実施形態２に係る倍率色収差測定装置を示す概略図である。
【図８】実施形態３に係る倍率色収差測定装置を示す概略図である。
【図９】本実施例にかかるカラーフィルタの分光透過特性と、このカラーフィルタの色ずれ量を測定する手法を説明するためのグラフを示すものでる。
【図１０】図９に示すカラーフィルタを用いた場合のシミュレーション結果（ｗ＝１０nm〜３２nm）を示すグラフ(（Ａ）〜（Ｆ）)である。
【図１１】図９に示すカラーフィルタを用いた場合のシミュレーション結果（ｗ＝４０nm〜９０nm）を示すグラフ(（Ｇ）〜（Ｌ）)である。
【図１２】倍率色収差による色ずれ量を測定する際に用いる従来装置の構成の一例を示す概略図である。
【発明を実施するための形態】
【００１５】
以下、本発明の実施形態１に係るカラーフィルタおよびこれを用いた倍率色収差測定装置について図面を用いて説明する。
まず、図２を用いて実施形態１に係る倍率色収差測定装置の概略について説明し、この後、図１を用いて本実施形態にかかるカラーフィルタの構成について説明する。
【００１６】
図２に示すように、照明５６からの照明光を収差測定用チャート５５に照射し、その収差測定用チャート５５からの被写体光を撮像レンズ５０により単板のカラー撮像素子部５１上に結像する。これにより撮像された被写体像は撮像素子部５１からＢ、Ｇ、Ｒの各信号に変換されて出力される。このとき、撮像レンズ５０と撮像素子部５１の間にはカラーフィルタ５３を配設する。この撮像レンズ５０の倍率色収差に基づく色ずれ量は、色収差測定部５２において、撮像素子部５１から出力されたＢ、Ｇ、Ｒの各信号に基づいて演算される。
色ずれ量の算出には、例えば、各像の相関値が最大となる値を求める手法等が用いられる。
【００１７】
図１は、本実施形態に係るカラーフィルタの分光透過特性を示すものである。このカラーフィルタは、例えば、ガラス等の透明板上に誘電体多層膜（例えばＴｉＯ２とＳｉＯ２の交互層）を蒸着法等を用いて設けたものである。
【００１８】
また、Ｂ、Ｇ、Ｒ各々の色光の、撮像素子部５１における分光特性上のピーク値は各々、４５０ｎｍ付近、５４０ｎｍ付近、６００ｎｍ付近であり、そのピーク値を中心として、所定幅の狭帯域（例えば１０ｎｍの波長域）のみを透過させるような透過特性を有するように構成されている。したがって、図１に示されるように、通常の撮像素子においてはＢ、Ｇ、Ｒの各色光について広い波長範囲にわたって受光し得るように構成されているが、この撮像素子に照射されるＢ、Ｇ、Ｒの各色光は、略４５０ｎｍ、略５４０ｎｍ、略６００ｎｍの各ピーク値を中心とした所定幅の狭帯域のみの色光とされる。
【００１９】
本実施形態のカラーフィルタ５３によれば、このようにＢ、Ｇ、Ｒの各色光をそれぞれのピーク位置付近の波長域のみを透過させて、撮像素子部５１に照射するようにしているので、照明や測定用チャートの調整にかかる手間を大幅に省くことができ、従来技術よりも簡易に、高精度の測定が可能となる。
【００２０】
以下、このカラーフィルタの作用効果について詳細に説明する。
図３（Ａ）は、倍率色収差の測定用に用いられる撮像パターンの一例を示すものであり、図３（Ｂ）は、図３（Ａ）の撮像パターンを用いて倍率色収差を測定した場合に、従来技術（シミュレーション）により測定される色ずれ状態を示すものであり、図３（Ｃ）は、同様に、この撮像パターンを用いて倍率色収差を測定した場合に、本実施形態のカラーフィルタ５３を用いること（シミュレーション）により測定される色ずれ状態を示すものである。
【００２１】
ここで、色ずれは画像水平方向に発生するものとし、また、撮像素子表面に結像される像の結像倍率は波長λに比例するものとする。また、図３（Ａ）に示す撮像パターンにおいて、図面左側の領域は全波長の光を等しく反射する分光反射率を有するものとし、図面右側の領域は全波長の光を吸収する分光反射率を有するものとする。また、この時の撮像に使用する照明は、図４の照明Ａに示す分光分布（実線）および照明Ｂに示す分光分布（破線）を有するものとしている。
【００２２】
図１２に示す従来技術においては、照明Ａおよび照明Ｂの分光分布を有する色光が各々そのまま撮像素子部１１Ａに照射されるので、撮像素子部１１Ａで得られる各Ｂ、Ｇ、Ｒの像には、波長域がブロードな撮像素子部１１Ａの分光特性に応じた光が含まれる。このため、色収差測定部１２から出力された色ずれには、各Ｂ、Ｇ、Ｒの像間での色ずれによるものだけでなく、各像単体における色ずれ（像のボケ）によるものが含まれる。
【００２３】
一方、本実施形態のカラーフィルタ５３を用いて得られる各Ｂ、Ｇ、Ｒ像は、カラーフィルタ５３の作用によって、各ピーク位置を中心とした所定の波長範囲に制限されているため、各像内で生じる倍率色収差に起因する像のボケは、従来技術を用いた際の倍率色収差に起因する像のボケと比較して非常に小さく、輪郭線がより明確となる。
【００２４】
色ずれ量の検出手法としては、例えば、Ｂ、Ｇ、Ｒ各像の相関値を算出し、最大となる値を求めることによって色ずれ量を検出する手法等が通常用いられる。
【００２５】
このように、本実施形態のカラーフィルタ５３およびこれを用いた倍率色収差測定装置を用いることで、ボケが小さく境界部分が鮮明なＢ、Ｇ、Ｒ像が得られるため、ずれ量の測定精度を向上させることができる。
【００２６】
図５（Ａ）、（Ｂ）は、異なる照明条件で得られたＢ、Ｇ、Ｒ被写体像の色ずれ量を、シミュレーションにより得られた、従来技術と本実施形態で比較したものである。
また、この時の撮像に使用する照明は、図４の照明Ａに示す分光分布（実線）および照明Ｂに示す分光分布（破線）を有するものとしている。
【００２７】
図５（Ａ）に示すように、従来技術を用いた場合における照明Ａ（実線）と照明Ｂ（破線）の色ずれの曲線同士はほとんど重ならず、色ずれ量の差は大きい。
一方、図５（Ｂ）に示すように、本実施形態技術を用いた場合における照明Ａ（実線）と照明Ｂ（破線）の色ずれの曲線同士は、信号値が大きく変化する領域において略重なり、色ずれ量の差は小さい。
【００２８】
このように、図５（Ａ）、（Ｂ）を比較すると、従来技術における色ずれは左右に大きくシフトしていることが明らかであり、このことから、従来技術では、色ずれを測定する際に照明条件が変化すると、発生する色ずれ量も大きく変化することが明らかであるから、従来技術を用いた場合において正確な色ずれ量の測定を実現するためには、測定毎に照明条件を同一に揃える必要があることが明らかである。
【００２９】
一方、本実施形態のカラーフィルタ５３を用いたものでは、照明Ａ（実線）で生じる色ずれ量と照明Ｂ（破線）で生じる色ずれ量が一致している。このことは、本実施形態のカラーフィルタを用いたものでは、使用する照明光等の照明条件に変化が生じても、同じ色ずれ量が生じることを示しており、測定毎に照明条件を同一に揃える必要がないことが明らかである。
【００３０】
次に、上記カラーフィルタ５３の製作方法について図６を用いて説明する。
すなわち、図６は、光学フィルタを組み合わせて本発明のカラーフィルタ５３の特性を実現する際の例を、各フィルタの分光透過特性を用いて説明するようにしたものである。この例では撮像素子５１から出力されるＢ、Ｇ、Ｒの分光特性のピーク位置（最大信号値）がそれぞれ、略４５０ｎｍ、略５４０ｎｍ、略６００ｎｍとされている。
【００３１】
図６（Ａ）に示す光学フィルタ（１）は、波長４４５ｎｍ〜６０５ｎｍを透過するバンドパスフィルタである。図６（Ｂ）に示す光学フィルタ（２）は波長４５５ｎｍ〜５４０ｎｍをカットするノッチフィルタである。図６（Ｃ）に示す光学フィルタ（３）は波長５４５ｎｍ〜５９５ｎｍをカットするノッチフィルタである。光学フィルタ（１）、光学フィルタ（２）、および光学フィルタ（３）を組み合わせることで、撮像素子５１のＢ、Ｇ、Ｒ各色光の分光特性のピーク位置を中心とする幅１０ｎｍの波長域の光のみを透過する分光透過特性を実現することができる。実際には、例えば、これら３つの光学フィルタ（１）〜（３）を構成する誘電体多層膜を順に基板上に積層してカラーフィルタ５３を形成する。
【００３２】
透過する波長域の幅を狭くするほど、照明条件の変化に対する色ずれ量の変化が小さくなり、測定毎に照明条件を同一に揃える必要がない、との前述した効果をより良好に奏することが可能になるが、その一方で、透過する波長域の幅を狭くするほど、撮像素子５１に入射する光量が少なくなるため、撮像装置の感度は低下する。
そのため、透過する波長域の幅が、互いに異なるフィルタを複数用意しておき、測定の際に、実現可能な照明の明るさや必要な測定精度に応じて、適切なフィルタを選択することが肝要である。
【００３３】
なお、本発明の倍率色収差測定装置としては上記実施形態１のものに替えて、以下に示す、実施形態２あるいは実施形態３のもの等を採用することが可能である。
図７に示す実施形態２の倍率色収差測定装置においては、照明６６からの照明光を収差測定用チャート６５に照射し、その収差測定用チャート６５からの被写体光を撮像装置の撮像レンズ６０により単板のカラー撮像素子部６１上に結像する。これにより撮像された被写体像は撮像素子部６１からＢ、Ｇ、Ｒの各信号に変換されて出力される。以上の構成は、上記実施形態１の倍率色収差測定装置と同様である。ただし、実施形態２のものにおいては、測定用チャート６５と撮像レンズ６０との間、より詳細には、撮像レンズ６０に近接する前段部分にカラーフィルタ５３と同様に機能するカラーフィルタ６３が配置されている。
カラーフィルタ６３を、測定用チャート６５と撮像レンズ６０との間に配設しても、上記実施形態１のように、撮像レンズ５０と撮像素子部５１の間にカラーフィルタ５３を配設した場合と同様の作用効果を奏することができる。
【００３４】
また、例えば、図８の実施形態３の倍率色収差測定装置においては、照明７６からの照明光を収差測定用チャート７５に照射し、その収差測定用チャート７５からの被写体光を撮像装置の撮像レンズ７０により単板のカラー撮像素子部７１上に結像する。これにより撮像された被写体像は撮像素子部７１からＢ、Ｇ、Ｒの各信号に変換されて出力される。以上の構成は、上記実施形態１、２の倍率色収差測定装置と同様である。ただし、実施形態３のものにおいては、照明７６と測定用チャート７５との間、より詳細には、照明７６に近接する後段部分にカラーフィルタ５３と同様に機能するカラーフィルタ７３が配置されている。すなわち、カラーフィルタ７３は、照明７６の調光フィルタとして機能する。
【００３５】
カラーフィルタ７３を、照明７６と測定用チャート７５との間に配設しても、上記実施形態１のように、撮像レンズ５０と撮像素子部５１の間にカラーフィルタ５３を配設した場合と同様の作用効果を奏することができる。
【００３６】
その他、本発明の倍率色収差測定用のカラーフィルタおよびこれを用いた倍率色収差測定装置としては、種々の態様のものを採用し得る。
例えば、カラーフィルタを、Ｒ像取得用・Ｇ像取得用・Ｂ像取得用の３枚構成よりなるものとしてもよい。この場合、Ｒ像取得用・Ｇ像取得用・Ｂ像取得用の３枚のフィルタのそれぞれが、対応する撮像素子の分光特性のピーク波長域付近のみをそれぞれ透過する特性を有するようにする。測定の際には、３枚のカラーフィルタを切り替えて３つの画像を取得し、それぞれの画像からＢ、Ｇ、Ｒ信号を抽出する。この手法においては、３枚のフィルタを切り替える際に、照明条件や測定用チャートの位置を正確に一致させる必要がある。なお、３枚のカラーフィルタは、光路中に配設した１つのターレット上等に各々載設するようにしてもよい。
また、上記実施形態においては、カラーフィルタが透過タイプのものとされているが、これを反射タイプのものとすることも可能である。
【００３７】
以下、本発明のカラーフィルタおよびこれを用いた倍率色収差測定装置について、実施例によりさらに説明する。
【実施例】
【００３８】
図９は、本実施例にかかるカラーフィルタの分光特性を示すものである。
このカラーフィルタは、基本的に、前述した図１に示すカラーフィルタと同様に構成されている。すなわち、ガラス等の透明板上に誘電体多層膜（例えば、ＴｉＯ２とＳｉＯ２の交互層を繰り返し積層したもの）を蒸着法等を用いて形成したものであり、誘電体多層膜の各層の厚みを変化させることによって、互いに異なる分光透過特性を有する複数のカラーフィルタサンプルを形成した。具体的には、撮像素子における各色光に対する撮像特性のピーク位置を各々４４８ｎｍ（Ｂ光）、５３９ｎｍ（Ｇ光）、６０２ｎｍ（Ｒ光）に設定し、これら各ピーク位置を中心として、所定幅の狭帯域（以下、狭帯域幅Ｗと称する）のみを透過させるような分光透過特性を有するようにシミュレーションを用いて構成した。
【００３９】
なお、サンプルは、上記挟帯域幅Ｗを、１０ｎｍ、１４ｎｍ、１８ｎｍ、２２ｎｍ、２８ｎｍ、３２ｎｍ、４０ｎｍ、５０ｎｍ、６０ｎｍ、７０ｎｍ、８０ｎｍ、９０ｎｍとしたものについて各々作成した。これら各サンプルについて、測定光源（図４の光源Ａおよび光源Ｂと指称された分光分布を有する光源Ａおよび光源Ｂ）の違いに基づく色ずれ量の変化を測定し、図１０（Ａ）〜（Ｆ）および図１１（Ｇ）〜（Ｌ）のグラフとして表した。
【００４０】
すなわち、図１０（Ａ）は狭帯域幅Ｗが１０ｎｍのときの色ずれの状態を表すものであり、図１０（Ｂ）は狭帯域幅Ｗが１４ｎｍのときの色ずれの状態を表すものであり、図１０（Ｃ）は狭帯域幅Ｗが１８ｎｍのときの色ずれの状態を表すものであり、図１０（Ｄ）は狭帯域幅Ｗが２２ｎｍのときの色ずれの状態を表すものであり、図１０（Ｅ）は狭帯域幅Ｗが２８ｎｍのときの色ずれの状態を表すものであり、図１０（Ｆ）は狭帯域幅Ｗが３２ｎｍのときの色ずれの状態を表すものであり、図１１（Ｇ）は狭帯域幅Ｗが４０ｎｍのときの色ずれの状態を表すものであり、図１１（Ｈ）は狭帯域幅Ｗが５０ｎｍのときの色ずれの状態を表すものであり、図１１（Ｉ）は狭帯域幅Ｗが６０ｎｍのときの色ずれの状態を表すものであり、図１１（Ｊ）は狭帯域幅Ｗが７０ｎｍのときの色ずれの状態を表すものであり、図１１（Ｋ）は狭帯域幅Ｗが８０ｎｍのときの色ずれの状態を表すものであり、図１１（Ｌ）は狭帯域幅Ｗが９０ｎｍのときの色ずれの状態を表すものである。
【００４１】
図１０、１１のシミュレーション結果からも明らかなように、Ｗの値が大きくなるほど、光源（照明条件）の違いにより生じる色ずれ量の差が大きくなる。すなわち、Ｗの値が大きくなるほど、本実施形態のカラーフィルタの効果が減少する。
【００４２】
また、Ｗ=９０ｎｍのときの色ずれの状態は、カラーフィルタがない従来技術の場合のシミュレーション結果（図５（Ａ）を参照）とほぼ同様となる。すなわち、Ｗ=９０ｎｍのときには、本実施形態のカラーフィルタの効果は小さいものとなる。
【００４３】
Ｗ=４０ｎｍ以下であれば、カラーフィルタがない従来技術の場合のシミュレーション結果と比較して、色ずれの変化がある程度抑制されており、相応の効果が期待し得る。
さらに、Ｗ=２０ｎｍ以下であれば、良好な精度を確保し得る。一方、Ｗの値を小さくするにしたがって、カメラに入射する光の量が減少するため、Ｓ/Ｎの低下等の面で測定の障害となる虞がある。このことから、色ずれの変化が抑制されて良好な精度を確保し得るとともに、Ｓ/Ｎの低下を測定の障害とならない程度に抑えるためには、通常用いる状況においては、Ｗの値を、例えば、１０ｎｍ以上かつ２０ｎｍ以下の範囲に設定することが好ましい。
ただし、色ずれの変化の抑制に伴う測定精度（≒Ｗ）の確保とＳ/Ｎとはトレードオフの関係となるので、Ｓ/Ｎが測定上問題となるような場合には、測定精度を敢えて落として（Ｗを広げて）、Ｓ/Ｎを確保する等、最適範囲を適宜選択していくことが肝要である。
【００４４】
また、Ｗ=１０ｎｍのときの色ずれの状態は、通常用いる状況においては、略最良の状態（Ｗ＜１０ｎｍとしても、色ずれの状態はＷ=１０ｎｍのときとほとんど変わらない）とされているので、このときのＳ/Ｎの低下等が許容できるのであれば、Ｗ=１０ｎｍを選択することが好ましい。
ただし、この場合にも、上記トレードオフの関係が成立することから、状況に応じてＷの最適値を適宜選択することが肝要である。
【符号の説明】
【００４５】
１０、５０、６０、７０      撮像レンズ
１１      撮像装置
１１Ａ、５１、６１、７１      撮像素子部
１２、５２、６２、７２      色収差測定部
５３、６３、７３      カラーフィルタ
１５、５５、６５、７５      測定用チャート
１６、５６、６６、７６      照明
【図１】
2020020609.tif 000003
【図２】
2020020609.tif 000004
【図３】
2020020609.tif 000005
【図４】
2020020609.tif 000006
【図５】
2020020609.tif 000007
【図６】
2020020609.tif 000008
【図７】
2020020609.tif 000009
【図８】
2020020609.tif 000010
【図９】
2020020609.tif 000011
【図１０】
2020020609.tif 000012
【図１１】
2020020609.tif 000013
【図１２】
2020020609.tif 000014